(57)【要約】【課題】電子装置のメニューカスタマイズ画面のメニューの選択肢であるメニューの候補一覧を一画面に全て表示できない場合に対応させること。【解決手段】表示部１８１にメニュー画面３００、或いはメニューカスタマイズ画面５００、を表示する電子装置において、表示制御手段１６０は、メニューカスタマイズ画面５００を、メニューの候補一覧を部分ごとに切替え可能に表示するメニュー候補表示画面５２０と、メニューの候補一覧の中からメニュー画面に表示するものとして選択された所望のメニューを表示するメニュー配置イメージ画面５３０とにより構成して同一画面上に表示し、さらに、複数の選択肢の候補一覧の中から選択された選択肢の数に応じて、選択肢配置イメージ画面に表示する選択肢に対応したイメージ画像の大きさを決定し表示する。【選択図】図１７
2010237785.tif 000002
【特許請求の範囲】
【請求項１】
表示部と、表示制御手段とを備え、前記表示部には前記電子装置において実行される各種処理を選択するための選択肢を表示する選択肢表示画面、或いは前記各種処理に対応する複数の選択肢の中から前記選択肢表示画面に表示する選択肢を選択的に設定する選択肢設定画面、が表示される電子装置であって、
前記表示制御手段は、前記選択肢設定画面を、前記複数の選択肢の候補一覧を部分ごとに切替え可能に表示する選択肢候補表示画面と、前記複数の選択肢の候補一覧の中から前記選択肢表示画面に表示するものとして選択された所望の選択肢のイメージ画像を表示する選択肢配置イメージ画面とにより構成して同一画面上に表示し、
さらに、前記複数の選択肢の候補一覧の中から選択肢が選択された際、選択された該選択肢の数に応じた大きさで前記選択肢配置イメージ画面に選択された前記選択肢に対応したイメージ画像を表示することを特徴とする電子装置。
【請求項２】
前記表示制御手段は、前記複数の選択肢の候補一覧の中から選択された前記選択肢の数に応じた大きさで前記選択肢表示画面に前記選択肢に対応した操作アイコンを表示することを特徴とする請求項１に記載の電子装置。
【発明の詳細な説明】
【技術分野】
【０００１】
本発明は、複数の処理機能を選択的に実行させるために選択可能な複数のメニューを表示するメニュー画面と、このメニュー画面をカスタマイズするメニューカスタマイズ画面と、から構成される電子装置に関するものである。
【背景技術】
【０００２】
表示部を有するとともに多数の機能を有する電子装置、例えば、ナビゲーション装置やデジタルカメラ等では、一般的に、表示部にメニュー画面が表示される。このメニュー画面には、電子装置が有する各機能を実行するための複数のメニュー項目、つまり選択肢が表示される。ユーザがメニュー画面の中の所望のメニュー項目を選択すると、そのメニュー項目に対応する機能が実行される。
【０００３】
上記のような電子機器においては、メニュー項目が多数に及んでいることが一般的である。そのために、すべてのメニュー項目を一画面に表示したりすることは困難である。従って、頻繁に使用するメニュー項目だけを予め選択して一画面に表示できるようにした電子機器もある。そのような電子機器の中には、一画面に表示するメニュー項目をユーザが頻繁に使用する項目として選択し、或いは自分の好みに合わせて選択し、カスタマイズできるようにしたものもある。
【０００４】
下記特許文献１（特開２００６−２９３６７８号公報）は、カスタマイズ可能なメニュー画面を有した電子機器が「操作機能設定システム」として開示されている。この操作機能設定システムは、電子機器にタッチパネルを設け、タッチパネルを構成する表示部に操作部を表すアイコンを表示している。ユーザがアイコンを選択したり操作したりすると、それに応じた操作機能に係る処理を電子装置内で実行させることができる。
【０００５】
また、この操作機能設定システムは、タッチパネルのカスタマイズを行うためのカスタマイズアプリケーションを有しており、このカスタマイズアプリケーションでは、カスタム設定画面が配置設定画面と操作機能選択画面とから構成され、ユーザによって選択されたアイコンを配置設定画面の所望の位置に移動し、次いで、操作機能選択画面でそのアイコンによって動作させる操作機能を選択設定する。これにより、タッチパネルに表示される操作部の表示形態、配置、操作機能を自由にカスタマイズすることが可能となる。
【先行技術文献】
【特許文献】
【０００６】
【特許文献１】特開２００６−２９３６７８号公報（段落［００２６］、［００５９］、［００６５］）
【発明の概要】
【発明が解決しようとする課題】
【０００７】
しかしながら、一般的に、電子装置が有する機能は多数に及ぶ。そのため、上記特許文献１に開示された操作機能設定システムでは操作機能選択画面に全ての操作機能を表示することは不可能であり、上記特許文献１にはその場合の処理については開示されていない。また、配置設定画面のアイコンと操作機能選択画面において、どのアイコンがどの操作機能に対応しているのかを確認することはできなかった。
【０００８】
特に、上記特許文献１で開示されているカスタム設定画面は電子装置をＰＣに接続してＰＣのモニタ上で行われるものであるからモニタ画面が小さいためにカスタム設定画面やカスタマイズ画面を確認しにくいことは稀と考えられるが、画面の設定を電子装置自身の表示部を利用して行う場合には、表示領域の制約を考慮に入れたカスタマイズ画面を構成することは重要である。
【０００９】
従って、本発明の目的は、電子装置において実行される各種処理を選択するためのメニュー（選択肢）配置を設定するメニューカスタマイズ画面において、メニュー配置イメージ画面に配置されるメニューイメージの選択候補となるメニュー候補一覧を一画面に全て表示できない場合に対応できるように構成することである。
【００１０】
また、本発明の更なる目的は、メニューカスタマイズ画面において、メニュー配置イメージ画面の各メニューイメージがどのメニュー候補と対応しているかを確認しやすくすることによってメニューカスタマイズ画面の視認性・操作性の向上を図ることである。
【課題を解決するための手段】
【００１１】
上記目的を達成するために、本発明は、表示部と、表示制御手段とを備え、前記表示部には前記電子装置において実行される各種処理を選択するための選択肢を表示する選択肢表示画面、或いは前記各種処理に対応する複数の選択肢の中から前記選択肢表示画面に表示する選択肢を選択的に設定する選択肢設定画面、が表示される電子装置であって、前記表示制御手段は、前記選択肢設定画面を、前記複数の選択肢の候補一覧を部分ごとに切替え可能に表示する選択肢候補表示画面と、前記複数の選択肢の候補一覧の中から前記選択肢表示画面に表示するものとして選択された所望の選択肢のイメージ画像を表示する選択肢配置イメージ画面とにより構成して同一画面上に表示し、さらに、前記複数の選択肢の候補一覧の中から選択肢が選択された際、選択された該選択肢の数に応じた大きさで、前記選択肢配置イメージ画面に選択された前記選択肢に対応したイメージ画像を表示することを特徴とする。
【００１２】
また、上記態様において、前記表示制御手段は、前記複数の選択肢の候補一覧の中から選択された前記選択肢の数に応じた大きさで、前記選択肢表示画面に選択された前記選択肢に対応した操作アイコンを表示することを特徴とする。
【発明の効果】
【００１３】
上記の構成により、本発明は下記に示すような優れた効果を奏する。すなわち、本発明の一態様によれば、前記複数の選択肢の候補一覧の中から選択肢が選択された際、選択された該選択肢の数に応じた大きさで、前記選択肢配置イメージ画面に選択された前記選択肢に対応したイメージ画像を表示する。従って、選択された選択肢の数が少ない場合は、一つのイメージ画像を大きく表示するので、視認性をよくすることができる。
【００１４】
また、本発明の他の態様によれば、前記表示制御手段は、前記複数の選択肢の候補一覧の中から選択された前記選択肢の数に応じた大きさで、前記選択肢表示画面に選択された前記選択肢に対応した操作アイコンを表示する。これにより、選択された選択肢の数が少ない場合は、一つの操作アイコンを大きく表示するので、視認性をよくすることができる。
【図面の簡単な説明】
【００１５】
【図１】本発明の実施例に係るカーナビゲーション装置の内部ブロック図である。
【図２】本発明の実施例に係るカーナビゲーション装置が有するメニューの一覧図である。
【図３】本実施例のカーナビゲーション装置の表示手段に表示されるクイックメニュー画面の一例を示す図である。
【図４】本実施例に係るカーナビゲーション装置のメニューカスタマイズ画面における動作を示すフローチャートである。
【図５】本実施例に係るカーナビゲーション装置のメニューカスタマイズ画面の一例を示す図である。
【図６】図５のメニューカスタマイズ画面において、メニュー配置イメージ画面の一つのメニューが選択された際に、メニュー候補表示画面の対応するメニュー候補が強調表示された状態を示したものである。
【図７】図５のメニューカスタマイズ画面において、メニュー配置イメージ画面の一つのメニューが選択された際に、対応するメニュー候補を、メニュー候補表示画面を切替えて表示した場合を示す。
【図８】図５のメニューカスタマイズ画面において、メニュー候補表示画面で既にメニュー配置イメージ画面に配置されたメニュー候補を選択した場合を示す図である。
【図９】図５のメニューカスタマイズ画面において、「全解除」アイコンを選択した場合を示す図である。
【図１０】図９のメニューカスタマイズ画面において、メニュー候補が選択順にメニュー配置イメージ画面に配置された場合を示す図である。
【図１１】図９のメニューカスタマイズ画面において、１０個のメニュー候補が選択されてメニュー配置イメージ画面に配置された場合を示す図である。
【図１２】図１１のメニューカスタマイズ画面において、さらに１１個目のメニュー候補が選択されてエラーメッセージが表示された場合を示す図である。
【図１３】図５のメニューカスタマイズ画面において、「全解除」アイコンを選択した場合のその他の例を示す図である。
【図１４】図１３のメニューカスタマイズ画面において、１個のメニュー候補が選択されてメニュー配置イメージ画面に配置された場合を示す図である。
【図１５】図１３のメニューカスタマイズ画面において、選択された２個のメニュー候補が選択順にメニュー配置イメージ画面に配置された場合を示す図である。
【図１６】図１３のメニューカスタマイズ画面において、選択された３個のメニュー候補が選択順にメニュー配置イメージ画面に配置された場合を示す図である。
【図１７】本実施例のカーナビゲーション装置の表示手段に表示されるクイックメニュー画面のその他の例を示す図である。
【発明を実施するための形態】
【００１６】
以下、本願発明を実施するための最良の形態を実施形態と共に図面を参照して詳細に説明する。ただし、以下に示す実施形態は、本発明の技術思想を具体化するための電子装置としてカーナビゲーション装置を例示して説明するものであって、本発明をこのカーナビゲーション装置に特定することを意図するものではなく特許請求の範囲に示した技術思想を逸脱することなくその他の電子装置にも等しく適用し得るものである。
【実施例】
【００１７】
まず、図１を参照して、本発明の実施例に係るカーナビゲーション装置の構成について説明する。図１は、本発明の実施例に係るカーナビゲーション装置の内部ブロック図である。カーナビゲーション装置１０は、制御手段１００、通信手段１１０、現在位置検出手段１２０、経路探索手段１３０、音声制御手段１４０、各種情報要求手段１５０、表示制御手段１６０、記憶手段１７０、タッチパネル式表示部１８０を備えて構成される。
【００１８】
制御手段１００は、ＣＰＵ、ＲＡＭ、ＲＯＭからなるプロセッサで構成され、ＲＡＭ又はＲＯＭに記憶されているプログラムをＣＰＵにおいて実行することによってカーナビゲーション装置１０の各部の動作を制御統括する。通信手段１１０は、このカーナビゲーション装置１０と通信可能な情報提供サーバ（図示せず）との間で各種情報の送受信を行う。
【００１９】
現在位置検出手段１２０は、ＧＰＳ受信機などで構成され、地球上空を周回している複数のＧＰＳ衛星からの時刻情報を含む電波を受信し、それに基づいて現在位置情報を算出する。現在位置検出手段１２０は、さらに、距離センサや方位センサを使用してもよい。この場合、距離センサや方位センサは、車両の走行距離と走行方位とをそれぞれ検出し、これらの値を基準位置に対して積算することによって現在位置を求める。この現在位置検出方法は、ＧＰＳ受信機と組み合わせることで、ＧＰＳ電波を受信できないトンネル内や、誤差が生じやすい高層ビル街において効果を発揮する。
【００２０】
経路探索手段１３０は、ユーザにより出発地や目的地が指定されると、記憶手段１７０の道路ネットワークデータ１７３に記憶されているデータを参照し、指定された出発地から目的地にいたる最適経路を探索し、案内経路データを作成する。この最適経路の探索は、現在位置またはユーザによって指定された出発地に対応する道路ノードからユーザによって指定された目的地に対応する道路ノードに至るリンクとノードをダイクストラ法などの各種の手法によって探索し、リンク長（リンクコスト）や所要時間などを累積し、総リンク長または総所要時間などが最短となる経路を案内経路とし、当該経路に属する道路ノードやリンクを案内経路データとして提供するものである。案内経路データは、記憶手段１７０の案内経路データ記憶部１７５に記憶される。
【００２１】
音声制御手段１４０は、記憶手段１７０の案内経路データ記憶部１７５に記憶された案内経路データと、現在位置検出手段１２０によって検出された現在位置とを比較し、現在位置において必要とされるガイダンスを図示しないスピーカなどから音声出力する。
【００２２】
各種情報要求手段１５０は、ユーザにより各種の情報要求の操作が行われると、このカーナビゲーション装置１０と通信可能なデータ提供サーバ（図示せず）に通信手段１１０を介して接続し、交通渋滞情報、施設・イベント情報などを要求する。
【００２３】
表示制御手段１６０は、記憶手段１７０の道路ネットワークデータ記憶部１７３、地図記憶部１７４、案内経路データ記憶部１７５にそれぞれ記憶された道路データ、地図画像、案内経路データに基づき、タッチパネル式表示部１８０を構成する表示部１８１に全体の案内経路に関するデータを表示したり、現在位置検出手段１２０によって検出された現在位置に対応する部分の案内経路や地図画像などを抽出し、重ね合わせて表示するための制御を行う。また、本実施例の表示制御手段１６０は、本発明の表示制御手段に相当するものであり、後述するように、クイックメニュー画面３００やメニューカスタマイズ画面５００などの画面を編集、制御する。
【００２４】
記憶手段１７０は、メニュー候補記憶部１７１、メニュー設定記憶部１７２、道路ネットワークデータ記憶部１７３、地図記憶部１７４、案内経路データ記憶部１７５、各種情報記憶部１７６を備えて構成される。メニュー候補記憶部１７１は、カーナビゲーション装置１０が有する各種の機能を実行するための多数のメニュー候補を記憶している。これは後述するが、図２に示されている。メニュー設定記憶部１７２には、メニュー候補記憶部１７１の中から選択された所定数のメニュー候補が、後述するメニューイメージアイコンに対応づけられて記憶されている。
【００２５】
道路ネットワークデータ記憶部１７３は各道路の交差点や分岐点などの結節点をノードとし、それぞれのノード間を結ぶ経路をリンクとした道路ノードデータと道路リンクデータを含む道路データを記憶している。道路ノードデータには、道路ノードの番号、位置座標、接続リンク本数、交差点名称などが含まれる。また、道路リンクデータには起点および終点となる道路ノードの番号、道路種別、リンク長（リンクコスト）、所要時間、車線数、車道幅などが含まれる。道路リンクデータにはさらに、リンク属性として橋、トンネル、踏切、料金所などのデータが付与される。
【００２６】
地図記憶部１７４は、道路ネットワークデータに対応したベクター形式の地図画像を記憶しており、これには、海岸線、湖沼、河川形状などの画像、行政境界データ、施設の位置、形状などが含まれている。道路ネットワークデータ記憶部１７３に記憶された道路データと地図記憶部１７４に記憶された地図画像は、表示制御手段１６０により重ね合わされてタッチパネル式表示部１８０を構成する表示手段１８１に表示される。
【００２７】
案内経路データ記憶部１７５は、経路探索手段１３０によって探索された出発地から目的地にいたる最適経路に係る案内経路データを記憶する。この案内経路データには、総所要時間、当該経路に属する道路ノードやリンクのデータを含む。
【００２８】
各種情報記憶部１７６は、各種情報要求手段１５０によって情報提供サーバ（図示せず）から取得された各種のデータ、例えば、交通渋滞情報、施設・イベント情報などを記憶して保持する。
【００２９】
タッチパネル式表示部１８０は、表示手段１８１と入力手段１８２を備えて構成される。表示手段１８１は例えば、液晶表示ユニットから構成され、入力手段１８２はその液晶表示ユニットの画面の表面に貼付け固定されたシート状のタッチセンサーから構成される。ユーザは表示手段１８１に表示された画面を見ながらその表面に触れることで入力手段１８２を操作し、入力を行うことができる。
【００３０】
次に、図２を参照して、カーナビゲーション装置１０において実行される各種処理（機能）に対応する選択肢（メニュー）について説明する。図２は、本発明の実施例に係るカーナビゲーション装置１０が有するメニューの候補一覧図である。図２では３４種類のメニューが示されている。
【００３１】
例えば、「自宅」のメニューは、このメニューが選択された場合に現在位置検出手段１２０により検出された現在位置を出発地とし、各種情報記憶部１７６に自宅の位置として記憶されている地点情報（自宅位置）を到着地として経路探索手段１３０が道路ネットワークデータ記憶部１７３を参照して経路探索を行い、探索により得られた案内経路を案内経路データ記憶部１７５に記憶し、表示制御手段１６０がこれに基づいて案内経路と地図記憶部１７４から該当する部分の地図データとを重ね合わせて表示手段１８１に表示して経路案内が行われる。また、音声制御手段１４０が必要に応じて音声によるガイダンスを行う。
【００３２】
また、「渋滞地点」のメニューは、このメニューが選択された場合に、各種情報要求手段１５０が通信手段１１０を介して情報提供サーバ（図示せず）に渋滞情報の取得要求を送信し、情報提供サーバから所定の渋滞情報を受信すると、これは各種情報記憶部１７６に記憶され、表示制御手段１６０は、これに基づいて道路ネットワークデータ記憶部１７３或いは地図記憶部１７４の道路データ或いは地図データの該当する部分を抽出して渋滞情報と重ね合わせて表示手段１８１に表示する。以下、各メニューの説明については、本発明の実質的な構成要素ではないので、説明を省略する。
【００３３】
ところで、これらカーナビゲーション装置１０が有するメニューは多岐にわたるために、通常一画面に表示することは不可能である。そのため、本実施例のカーナビゲーション装置１０では、ユーザにより予め選択された所定数のメニューのみを表示するクイックメニュー画面を有する。図３は、本実施例のカーナビゲーション装置１０の表示手段１８１に表示されるクイックメニュー画面の一例を示す図である。
【００３４】
クイックメニュー画面３００は、画面上部に表示される「設定」アイコン３１０、「戻る」アイコン３２０、画面中央の大部分の領域を占めるメニュー表示領域３３０、画面下部に表示される時刻表示部３５１、現在位置表示部３５２より構成される。メニュー表示領域３３０には、１０個のメニューアイコン３３１〜３４０が横方向に５列、縦方向に２行に配列されて表示されている。ここで、メニューアイコン３３１〜３４０は、本発明の選択肢に相当する。なお、メニュー表示領域３３０に表示するメニューアイコンの数は１０個に限られるものではないし、配置の方法も上記の方法に限られることなく種々変更することができる。
【００３５】
ユーザにより「設定」アイコン３１０が選択されると、表示制御手段１６０は、後述するメニューカスタマイズ画面を表示手段１８１に表示する。「戻る」アイコン３２０が選択されると、このクイックメニュー画面３００の直前に表示していた画面に戻る。メニュー表示領域３３０に表示されるメニューアイコン３３１〜３４０は、メニュー候補記憶部１７１に記憶されているメニュー候補の中からユーザにより予め選択されたメニューであり、これらはメニュー設定記憶部１７２に記憶されている。
【００３６】
図３では、第１行目に配列されている第１のメニューアイコン３３１には「自宅」メニューが表示され、第２のメニューアイコン３３２には「登録地点」メニューが表示され、第３のメニューアイコン３３３には「周辺施設」メニューが表示され、第４のメニューアイコン３３４には「右画面表示」メニューが表示され、第５のメニューアイコン３３５には「渋滞地点」メニューが表示される。
【００３７】
また、第２行目に配列されている第６のメニューアイコン３３６には「渋滞予測回避」メニューが表示され、第７のメニューアイコン３３７には「図形情報」メニューが表示され、第８のメニューアイコン３３８には「案内スタート／ストップ」メニューが表示され、第９のメニューアイコン３３９には「再探索」メニューが表示される。第１０のメニューアイコン３４０には対応するメニューが登録されておらず、何も表示されていない。
【００３８】
このクイックメニュー画面３００において、ユーザが「設定」アイコン３１０を選択すると、表示制御手段１６０は、以下に説明するようにメニューカスタマイズ画面５００を表示する。以下、クイックメニュー画面３００のカスタマイズについて、図４〜図１２を参照して説明する。
【００３９】
図４は、本実施例に係るカーナビゲーション装置１０のメニューカスタマイズ画面における動作を示すフローチャートである。図５は、本実施例に係るカーナビゲーション装置１０のメニューカスタマイズ画面の一例を示す図である。図３のクイックメニュー画面３００において、ユーザが「設定」アイコン３１０を選択すると、カーナビゲーション装置１０の表示制御手段１６０は、図５に示すメニューカスタマイズ画面５００を表示するとともに図４に示すフローチャートに従って動作する。
【００４０】
メニューカスタマイズ画面５００は、上部に表示される「戻る」アイコン５１０、画面左半分の領域に表示されるメニュー候補表示画面５２０、画面右半分の領域に表示されるメニュー配置イメージ画面５３０、画面下部に表示される時刻表示部５７０、操作案内表示部５８０より構成される。
【００４１】
メニュー候補表示画面５２０は、左端部のスクロールバー５２６と、その右側に表示される第１〜第５のメニュー候補表示部５２１〜５２５より構成され、ここにはメニュー候補記憶部１７１に記憶されたメニュー候補が順番に表示される。図５では、５つのメニュー候補が表示されている。メニュー候補は実際には５つだけではなく多数に及ぶ。ユーザがスクロールバー５２６を操作するとメニュー候補表示部５２１〜５２５に表示されるメニュー候補がメニュー候補記憶部１７１から読み出され、順次切替わって表示される。
【００４２】
例えば、図５のようにメニュー候補表示部５２１〜５２５に第１〜第５のメニュー候補が表示されている場合に、スクロールバー５２６の下端の矢印が１回タッチされると、第１のメニュー候補は消去され、第２〜第５のメニュー候補がいわば上に移動して第１〜第４のメニュー候補表示部５２１〜５２４に表示され、第５のメニュー候補表示部５２５にはメニュー候補記憶部１７１から読み出された第６のメニュー候補が新たに表示される。
【００４３】
スクロールバー５２６の下端の矢印がもう一度タッチされると、第２のメニュー候補が消去され、第３〜第６のメニュー候補がいわば上に移動して第１〜第４のメニュー候補表示部５２１〜５２４に表示され、第５のメニュー候補表示部５２５にはメニュー候補記憶部１７１から読み出された第７のメニュー候補が新たに表示される。
【００４４】
一方、第３〜第７のメニュー候補が表示された状態でスクロールバー５２６の上端の矢印がタッチされると、第７のメニュー候補が第５のメニュー候補表示部５２５から消去され、第３〜第６のメニュー候補がいわば下に移動して第２〜第５のメニュー候補表示部５２２〜５２５に表示され、第１のメニュー候補表示部５２１には第２のメニュー候補がメニュー候補記憶部１７１から読み出されて表示される。
【００４５】
なお、ここではスクロールバー５２６の上端、下端の矢印にタッチした場合に１つずつメニュー候補の表示が移動する場合について説明したが、これに限られることなく、例えば、第１〜第５のメニュー候補が表示された状態で下端の矢印をタッチすると第６〜第１０のメニュー候補が表示される、などのようにまとめて表示を切替えるようにしてもよい。また、この操作をスクロールバー５２６のバー部分をタッチすることにより行えるようにしてもよい。
【００４６】
メニュー配置イメージ画面５３０は、図３に示したメニュー表示領域３３０に対応しており、これを縮小表示したプレビュー画面である。メニュー配置イメージ画面５３０は、第１〜第１０のメニューイメージアイコン５３１〜５４０と、その下方に表示される「標準」アイコン５５０と、「全解除」アイコン５６０より構成される。ここで、メニューイメージアイコン５３１〜５４０は、本発明の選択肢のイメージ画像に相当する。
【００４７】
図５では、第１〜第９のメニューイメージアイコン５３１〜５３９に第１〜第９のメニュー候補が順に割当てられているが、これはユーザが設定変更を行っていない初期状態の画面である。それぞれのメニューイメージアイコンはそれほど大きくないので、図５では、割当てられたメニュー候補の番号だけが表示されているが、必要に応じて画像やマークなどを表示するようにしてもよい。第１０のメニューイメージアイコンにはメニュー候補が割当てられておらず、何も表示されていない。
【００４８】
図５のメニューカスタマイズ画面５００が表示されている状態で、カーナビゲーション装置１０の入力手段１８２に入力操作があった場合、図４のステップＳ４０１においては、メニュー配置イメージ画面５３０のいずれかのメニューイメージアイコン５３１〜５４０が選択されたか否かを判定する。
【００４９】
メニューイメージアイコン５３１〜５４０のいずれかが選択されたと判定された場合、処理はステップＳ４０２に進み、選択されたメニューイメージアイコンに割当てられたメニューがメニュー候補表示画面５２０のメニュー候補表示部５２１〜５２５に表示されているか否かを判定する。メニュー候補表示部５２１〜５２５に選択されたメニューが表示されていると判定された場合、ステップＳ４０３の処理において、表示制御手段１６０は、選択されたメニューイメージアイコンと、そのメニューイメージアイコンに割当てられたメニュー候補が表示されているメニュー候補表示部とを強調表示し、ステップＳ４０１の処理に戻る。強調表示とは、色や輝度を変化させて表示させたり、点滅表示させたりすることが含まれる。
【００５０】
図６は、図５のメニューカスタマイズ画面において、メニュー配置イメージ画面の一つのメニューイメージが選択された際に、メニュー候補表示画面の対応するメニュー候補が強調表示された状態を示した図である。図６では、図５のメニューカスタマイズ画面５００において、第１のメニュー候補が割当てられている第１のメニューイメージアイコン５３１が選択された状態が示されている。この場合、第１のメニューイメージアイコン５３１が強調表示されるとともに、第１のメニュー候補が表示されている第１のメニュー候補表示部５２１が強調表示される。
【００５１】
ステップＳ４０２において、メニュー候補表示部５２１〜５２５に選択されたメニューが表示されていないと判定された場合、ステップＳ４０４の処理に進み、表示制御手段１６０は、選択されたメニューを含むメニュー候補の一覧部分をメニュー候補記憶部１７１から呼出して、メニュー候補表示部５２１〜５２５に表示する。このとき、表示制御手段１６０は、選択されたメニューイメージアイコンと、そのメニューイメージアイコンに割当てられたメニュー候補が表示されているメニュー候補表示部とを強調表示し、ステップＳ４０１の処理に戻る。
【００５２】
図７は、図５のメニューカスタマイズ画面において、メニュー配置イメージ画面の一つのメニューイメージアイコンが選択された際に、対応するメニュー候補を、メニュー候補表示画面を切替えて表示した場合を示す。図７では、図５のメニューカスタマイズ画面５００において、第７のメニュー候補が割当てられている第７のメニューイメージアイコン５３７が選択された状態が示されている。図５のメニュー候補表示画面５２０のメニュー候補表示部５２１〜５２５には第７のメニュー候補が表示されていないので、図７では、メニュー候補表示部５２１〜５２５に表示されるメニュー候補が切替え表示されている。
【００５３】
つまり、第１〜第５のメニュー候補表示部５２１〜５２５に第６〜第１０のメニュー候補が順に表示される。そして、第７のメニュー候補が表示されている第２のメニュー候補表示部５２２が強調表示されている。また、メニュー配置イメージ画面５３０において、第７のメニュー候補が割当てられている第７のメニューイメージアイコン５３７が強調表示されている。
【００５４】
ステップＳ４０１の処理において、メニュー配置イメージ画面５３０のいずれのメニューイメージアイコン５３１〜５４０も選択されていないと判定されると、ステップＳ４０５の処理に進み、メニュー候補表示画面５２０のいずれかのメニュー候補表示部５２１〜５２５が選択されたか否かを判定する。
【００５５】
ステップＳ４０５において、メニュー候補表示画面５２０のいずれかのメニュー候補表示部５２１〜５２５が選択されたと判定された場合、選択されたメニュー候補表示部に表示されているのがどのメニュー候補かを検出し、ステップＳ４０６において、そのメニュー候補がすでにメニュー配置イメージ画面５３０のメニューイメージアイコン５３１〜５４０のいずれかに割当てられているか否かを判定する。
【００５６】
メニューイメージアイコンに既に設定済みのメニュー候補であると判定された場合には、ステップＳ４０７の処理に進み、メニュー設定記憶部１７２において対応付けられている当該メニューイメージアイコンとメニュー候補の設定を解除し、それ以降のメニューイメージアイコンにメニュー候補を繰上げて対応付ける。加えて、表示制御手段１６０は、メニューイメージアイコンに表示されていた当該メニュー候補を消去し、そのメニューイメージアイコン以降に割当てられていたメニュー候補を繰上げしてメニューイメージアイコンに割当てて表示する。
【００５７】
図８は、図５のメニューカスタマイズ画面において、メニュー候補表示画面で既にメニュー配置イメージ画面に配置されたメニュー候補を選択した場合を示す図である。図８では、図５のメニューカスタマイズ画面５００において、第４のメニュー候補表示部５２４が選択されて、対応していた第４のメニュー候補がメニューイメージアイコン５３４から設定を解除された後の状態が示されている。
【００５８】
図５では、第４のメニュー候補表示部５２４には第４のメニュー候補が割当てられており、これはメニュー配置イメージ画面５３０では、第４のメニューイメージアイコン５３４に設定済み、つまり割当てられている。そこで、図８では、第４のメニュー候補を第４のメニューイメージアイコン５３４から設定を解除して第４のメニュー候補の表示をメニューイメージアイコンから消去する。同時に、第４のメニューイメージアイコン５３４〜第８のメニューイメージアイコン５３８には、第５〜第９のメニュー候補が繰上げして再設定され、第５〜第９のメニュー候補が表示される。なお、第９、第１０のメニューイメージアイコン５３９、５４０は、設定されるメニュー候補がないために何も表示されていない。
【００５９】
ステップＳ４０６において、選択されたメニュー候補がメニュー配置イメージ画面５３０のメニューイメージアイコン５３１〜５４０のいずれにも割当てられていないと判定された場合、ステップＳ４０８の処理に進み、メニューイメージアイコンに割当て可能なメニュー候補の数である１０を超えて１１個目のメニュー候補を割当てようとしているか否かを判定する。割当てようとしているメニュー候補が１１個目ではないと判定された場合には、ステップＳ４０９の処理に進み、選択されたメニュー候補を、まだメニュー候補が割当てられていないメニューイメージアイコンに割当て、メニュー設定記憶部１７２においてそのメニュー候補とメニューアイコンとを対応付けて記憶し、次いでステップＳ４０１の処理に戻る。
【００６０】
図９は、図５のメニューカスタマイズ画面において、「全解除」アイコンを選択した場合を示す図である。図１０は、図９のメニューカスタマイズ画面において、メニュー候補が選択順にメニュー配置イメージ画面に配置された場合を示す図である。図１０では、図９に示すメニューイメージアイコン５３１〜５４０にいずれのメニュー候補も割当てられていないときに、第４のメニュー候補である「右画面表示」、第５のメニュー候補である「渋滞地点」が選択されてメニュー配置イメージ画面５３０の第１のメニューイメージアイコン５３１に第４のメニュー候補が割当てられて「４」の番号が表示され、第２のメニューイメージアイコン５３２に第５のメニュー候補が割当てられて「５」の番号が表示された状態のときに、さらに第２のメニュー候補である「登録地点」が選択された場合が示されている。
【００６１】
ここでは、第２のメニュー候補がユーザによって選択されたために、第２のメニュー候補が表示されている第２のメニュー候補表示部５２２は強調表示されている。そして、第３のメニューイメージアイコン５３３に第２のメニュー候補が割当てられて「２」の番号が表示される。第４〜第１０のメニューイメージアイコン５３４〜５４０はいずれのメニュー候補も割当てられていないために何も表示されていない。
【００６２】
図１１は、図９のメニューカスタマイズ画面において、１０個のメニュー候補が選択されてメニュー配置イメージ画面に配置された場合を示す図である。図１１では、第１〜第９のメニューイメージアイコン５３１〜５３９にそれぞれメニュー候補が割当てられてそれぞれ対応するメニュー候補の番号が表示されている状態のときに、さらに１０番目のメニューとして、第１のメニュー候補である「自宅」が選択された場合が示されている。
【００６３】
ここでは、第１のメニュー候補がユーザによって選択されたために、第１のメニュー候補が表示されている第１のメニュー候補表示部５２１が強調表示されている。また、第１０のメニューイメージアイコン５４０に第１のメニュー候補が割当てられて「１」の番号が表示されている。
【００６４】
ステップＳ４０８において、既に１０個のメニュー候補がそれぞれのメニューイメージアイコンに割当てられており（つまり、図１１に示されているような状態）、ユーザが選択したメニュー候補が１１個目であると判定された場合には、ステップＳ４１０の処理に進み、表示制御手段１６０は、図１２に示すようなエラーメッセージ５９０をメニューカスタマイズ画面５００に表示し、ステップＳ４０１の処理に戻る。
【００６５】
図１２は、図１１のメニューカスタマイズ画面において、さらに１１個目のメニュー候補が選択されてエラーメッセージが表示された場合を示す図である。エラーメッセージ５９０は、数秒間表示された後に図１１に示されるようなメニューカスタマイズ画面５００に戻るか、或いはユーザが「戻る」アイコン５１０を選択することによって図１１に示されるようなメニューカスタマイズ画面５００に戻るまで表示されるかする。
【００６６】
ステップＳ４０５の処理において、メニュー候補表示画面５２０のいずれのメニュー候補表示部５２１〜５２５も選択されていないと判定された場合、ステップＳ４１１の処理に進み、「標準」アイコン５５０が選択されたか否かを判定する。「標準」アイコン５５０が選択されたと判定された場合は、ステップＳ４１２に進み、メニュー配置イメージ画面５３０に表示されるメニューイメージアイコン５３１〜５４０に割当てられているメニュー候補を予め定められた初期値或いは標準値に設定しなおす。この初期値或いは標準値は、メニュー設定記憶部１７２に、メニューアイコンとそれに割当てられるメニュー候補とを対応付けて記憶されている。その後、ステップＳ４０１の処理に戻る。
【００６７】
例えば、図１０のように第１〜第３のメニューイメージアイコン５３１〜５３３にそれぞれメニュー候補が割当てられている状態で、「標準」アイコン５５０が選択された場合、各メニューイメージアイコンに割当てられていたメニュー候補は、割当てを一旦消去され、次いで、初期値或いは標準値に割当てしなおされる。例えば、図５に示されるように、第１〜第９のメニューイメージアイコン５３１〜５３９に第１から第９のメニュー候補が割当てられ、「１」から「９」までのメニュー候補の数字が表示される。
【００６８】
ステップＳ４１１の処理において、「標準」アイコン５５０が選択されたのではないと判定された場合、ステップＳ４１３の処理に進み、「全解除」アイコン５６０が選択されたか否かを判定する。「全解除」アイコン５６０が選択されたと判定された場合、ステップＳ４１４に進み、メニューイメージアイコン５３１〜５４０に割当てられているすべてのメニュー候補の割当てを解除する。つまり、メニュー設定記憶部１７２に記憶されたメニューアイコンとメニュー候補の対応関係の記憶を消去する。次いでステップＳ４０１の処理に戻る。
【００６９】
例えば、図５に示されるように、第１〜第９のメニューイメージアイコン５３１〜５３９にそれぞれメニュー候補が割当てられている状態で、「全解除」アイコン５６０が選択されると、それぞれのメニューイメージアイコンからメニュー候補の割当てが解除されて、図９に示すように、すべてのメニューイメージアイコン５３１〜５４０からメニュー候補が解除されすべてのメニューイメージアイコンに何も表示されていない状態になる。
【００７０】
ステップＳ４１３の処理において、「全解除」アイコン５６０が選択されたのではないと判定された場合、ステップＳ４１５の処理に進み、「戻る」アイコン５１０が選択されたか否かが判定される。「戻る」アイコン５１０が選択されと判定された場合、ステップ４１６の処理に進み、その時点までに各メニューイメージアイコン５３１〜５４０に割当てられたメニュー候補の対応関係をメニュー設定記憶部１７２に記憶し、設定を保存して処理を終了する。そして、メニューカスタマイズ画面５００を表示する前に表示していた画面、つまり、図３に示すようなクイックメニュー画面３００を表示する。
【００７１】
ステップＳ４１５において、「戻る」アイコン５１０が選択されたのではないと判定された場合、ステップＳ４０１の処理に戻る。
【００７２】
以上説明したように本発明の実施例に係るカーナビゲーション装置によれば、多数の機能を有するナビゲーション装置のメニュー設定をユーザが自由に設定できるメニューカスタマイズ画面を、多数の機能の一覧を一画面上ですべて表示できない場合に切替え可能に表示するメニュー候補表示画面と、メニュー候補一覧の中からメニュー画面に表示されるものとして選択された所望のメニューを表示するメニュー配置イメージ画面とにより構成して同一画面上に表示することが可能となる。このため、メニュー候補が多数にわたる場合でも、メニュー候補の表示画面を切替えることによってユーザは容易に所望のメニューの候補一覧を見て、所望のメニュー候補を選択することが可能となる。
【００７３】
また、メニュー配置イメージ画面に表示された所望のメニューが選択された場合に、選択されたメニューに対応するメニュー候補が強調表示されることが可能となる。選択されたメニューがその時点でメニュー候補表示画面に表示されていない場合、対応するメニュー候補が含まれるメニューの一覧部分が表示されるように画面を切替えて、対応するメニュー候補を強調表示することが可能となる。これにより、視認性にすぐれたメニューカスタマイズ画面を提供することが可能となる。
【００７４】
なお、上記実施例では、本発明の電子装置について、カーナビゲーション装置を一例として説明したが、本発明は、ナビゲーション装置だけに限って適用されるものではない。例えば、デジタルカメラなどの電子装置のように表示部を備える電子装置であって、複数の機能を有するものであれば、メニューのカスタマイズを上記実施例のように行うことが可能である。
【００７５】
また、上記実施例では、本発明の選択肢として、メニューアイコンを一例として説明したが、本発明は、これに限られるものではなく、表示画面に一覧配置される複数のフォルダアイコン等といったユーザが表示画面から選択可能な各種アイコンであってもよい。
【００７６】
さらに、上記実施例ではクイックメニュー画面３００のメニュー表示領域３３０には、所定数（図３では１０個）のメニューアイコン３３１〜３４０を同じ大きさで表示している。そして、メニューが割当てられていないメニューアイコンは、図３の第１０のメニューアイコン３４０で示されるように、空白のメニューアイコンだけが表示され、そこには機能名称など何も表示されていない。しかしながら、本発明は、これに限られず、メニューが割当てられたメニューアイコンのみを拡大してメニュー表示領域３３０に表示するようにしてもよい。
【００７７】
図１３は、図５のメニューカスタマイズ画面において、「全解除」アイコンを選択した場合のその他の例を示す図であり、図１４は、図１３のメニューカスタマイズ画面において、１個のメニュー候補が選択されてメニュー配置イメージ画面に配置された場合を示す図であり、図１５は、図１３のメニューカスタマイズ画面において、選択された２個のメニュー候補が選択順にメニュー配置イメージ画面に配置された場合を示す図であり、図１６は、図１３のメニューカスタマイズ画面において、選択された３個のメニュー候補が選択順にメニュー配置イメージ画面に配置された場合を示す図であり、図１７は、本実施例のカーナビゲーション装置の表示手段１８１に表示されるクイックメニュー画面のその他の例を示す図である。
【００７８】
すなわち、例えば図５のメニューカスタマイズ画面において、「全解除」アイコンが選択されて、メニューイメージアイコン５３１〜５４０からメニュー候補の割当てが解除されると、図１３に示すように、メニュー配置イメージ画面５３０にメニューイメージアイコンが表示されない状態となる。
【００７９】
そして、第４のメニュー候補である「右画面表示」が選択されると、図１４に示すように、メニュー配置イメージ画面５３０には、第４のメニュー候補が割当てられて「４」の番号が表示された第１のメニューイメージアイコン５３１だけが画面中央に表示される。さらに、第５のメニュー候補である「渋滞地点」が選択されると、図１５に示すように、メニュー配置イメージ画面５３０の第２のメニューイメージアイコン５３２に第５のメニュー候補が割当てられて「５」の番号が表示されることになる。
【００８０】
この場合、２個のメニュー候補だけがそれぞれメニューイメージアイコンに割当てられているため、メニュー配置イメージ画面５３０には、２個のメニューイメージアイコン５３１,５３２だけが画面全体に表示されている。これら２個のメニューイメージアイコン５３１,５３２は同じ大きさで表示される。
【００８１】
そして、図１６には、図１５に示す状態のときに、さらに第２のメニュー候補である「登録地点」が選択された場合が示されている。この場合、３個のメニュー候補がそれぞれメニューイメージアイコンに割当てられているため、メニュー配置イメージ画面５３０には、３個のメニューイメージアイコン５３１〜５３３だけが画面全体に表示されている。これら３個のメニューイメージアイコン５３１〜５３３は同じ大きさで表示される。このように、１０個のメニューイメージアイコン５３１〜５４０が表示された場合と比べて、３つのメニューイメージアイコン５３１〜５３３が表示された場合は、表示されるメニューイメージアイコンの大きさが大きくなり、視認性も増す。
【００８２】
図１７は、図１６のメニューカスタマイズ画面５００において示されるように３つのメニュー候補がそれぞれのメニューイメージアイコンに割当てられて設定が完了した場合のクイックメニュー画面３００を示しているが、画面中央のメニュー表示領域３３０には、３個のメニューアイコン３３１〜３３３が表示されている。この場合、図３に示すように１０個のメニューアイコン３３１〜３４０がメニュー表示領域３３０に表示された場合に比べて、各メニューアイコン３３１〜３３３が拡大されて表示されているために視認性が向上する。
【００８３】
なお、上記には３個のメニューアイコンのみが表示された場合について説明したが、本発明はこれに限られず、ユーザの設定によって４個、或いは他の数のメニューアイコンを表示するようにしてもよいことは明らかである。
【符号の説明】
【００８４】
１０    カーナビゲーション装置
１００    制御手段
１１０    通信手段
１２０    現在位置検出手段
１３０    経路探索手段
１４０    音声制御手段
１５０    各種情報要求手段
１６０    表示制御手段
１７０    記憶手段
１７１    メニュー候補記憶部
１７２    メニュー設定記憶部
１７３    道路ネットワークデータ記憶部
１７４    地図記憶部
１７５    案内経路データ記憶部
１７６    各種情報記憶部
１８０    タッチパネル式表示部
１８１    表示手段
１８２    入力手段
【図１】
2010237785.tif 000003
【図２】
2010237785.tif 000004
【図３】
2010237785.tif 000005
【図４】
2010237785.tif 000006
【図５】
2010237785.tif 000007
【図６】
2010237785.tif 000008
【図７】
2010237785.tif 000009
【図８】
2010237785.tif 000010
【図９】
2010237785.tif 000011
【図１０】
2010237785.tif 000012
【図１１】
2010237785.tif 000013
【図１２】
2010237785.tif 000014
【図１３】
2010237785.tif 000015
【図１４】
2010237785.tif 000016
【図１５】
2010237785.tif 000017
【図１６】
2010237785.tif 000018
【図１７】
2010237785.tif 000019